【事件の表示】
　特願２０１９−５２８２８１「固定子、電動機、駆動装置、圧縮機、空気調和装置および固定子の製造方法」拒絶査定不服審判事件〔平成３１年　１月１０日国際公開、ＷＯ２０１９／００８７２２〕について、次のとおり審決する。
【結　論】
　本件審判の請求は、成り立たない。
【理　由】
第１　手続の経緯
　本願は、２０１７年（平成２９年）７月６日を国際出願日とする出願であって、令和元年６月７日に手続補正がされ、令和２年５月１４日付けの拒絶理由通知に対し、令和２年７月９日に意見書が提出されるとともに手続補正がされたが、令和２年９月９日付けで拒絶査定（原査定）がされ、これに対して令和２年１０月２８日に拒絶査定不服審判の請求がされ、その審判の請求と同時に手続補正がされたものである。
第２　令和２年１０月２８日にされた手続補正についての補正の却下の決定
［補正の却下の決定の結論］
　令和２年１０月２８日にされた手続補正（以下「本件補正」という。）を却下する。
［理由］
１．本件補正について（補正の内容）
（１）本件補正後の特許請求の範囲の請求項１の記載
　本件補正により、特許請求の範囲の請求項１の記載は、次のとおり補正された。（下線部は、補正箇所である。）
「【請求項１】
　軸線を中心とする周方向に延在するヨーク部と、前記ヨーク部から前記軸線に向かう方向または前記軸線から離間する方向に延在する複数のティースと、前記複数のティースのうち前記周方向に隣り合う２つのティースの間に形成されたスロットとを有する固定子鉄心であって、複数の積層要素が前記軸線の方向に積層され、前記複数の積層要素のうち前記軸線の方向に隣り合う２つの積層要素の間に隙間を有する固定子鉄心と、
　前記複数のティースの前記スロット側の面および前記ヨーク部の前記スロット側の面を覆い、前記隙間の前記スロット側を塞
ぎ、且つ前記隙間に入り込む
　前記複数のティースの前記スロット側および前記ヨーク部の前記スロット側に設けられ、前記第２の絶縁部を覆う第１の絶縁部と、
　前記複数のティースのそれぞれに、前記第１の絶縁部および前記第２の絶縁部を介して巻き付けられた巻線と
　を備えた固定子。」
（２）本件補正前の特許請求の範囲の請求項１の記載
　本件補正前の、令和２年７月９日にされた手続補正により補正された特許請求の範囲の請求項１の記載は次のとおりである。
「【請求項１】
　軸線を中心とする周方向に延在するヨーク部と、前記ヨーク部から前記軸線に向かう方向または前記軸線から離間する方向に延在する複数のティースと、前記複数のティースのうち前記周方向に隣り合う２つのティースの間に形成されたスロットとを有する固定子鉄心であって、複数の積層要素が前記軸線の方向に積層され、前記複数の積層要素のうち前記軸線の方向に隣り合う２つの積層要素の間に隙間を有する固定子鉄心と、
　前記複数のティースの前記スロット側の面および前記ヨーク部の前記スロット側の面を覆い、前記隙間の前記スロット側を塞ぐ第２の絶縁部と、
　前記複数のティースの前記スロット側および前記ヨーク部の前記スロット側に設けられ、前記第２の絶縁部を覆う第１の絶縁部と、
　前記複数のティースのそれぞれに、前記第１の絶縁部および前記第２の絶縁部を介して巻き付けられた巻線と
　を備えた固定子。」
２．補正の適否
　本件補正後の請求項１についての補正は、本件補正前の請求項１に係る発明（以下、「補正前発明」という。）を特定するために必要な事項である「前記隙間の前記スロット側を塞ぐ第２の絶縁部」について「前記隙間の前記スロット側を塞ぎ、
且つ前記隙間に入り込む
　そこで、本件補正後の請求項１に記載される発明（以下、「本件補正発明」という。）が、同条第６項において準用する同法第１２６条第７項の規定に適合するか（特許出願の際独立して特許を受けることができるものであるか）について、以下、検討する。
（１）本件補正発明
　本件補正発明は、上記１．（１）の請求項１に記載したとおりのものである。
（２）引用文献の記載及び引用発明
ア．引用文献１の記載
　原査定（令和２年９月９日付け拒絶査定）の拒絶の理由で引用された本願の出願前に頒布された刊行物である、特開２００３−２８４２７７号公報（以下、「引用文献１」という。）には、図面とともに、次の記載がある（下線は、当審で付与した。以下、同様である。）。
（ア）「【０００６】本発明は上記の従来技術の課題に鑑みなされたもので、その目的は
コイルで発生した熱がステータコアに伝わりやすく放熱性のよい回転電機
（イ）「【００１４】モータ１０は、図１，図２に示すようにステータ２０，ロータ５０，フレーム８０，回転軸５，軸受け６，７，エンドブラケット３，４等から構成される。図１に示すように、
ステータ２０は複数のティース部２２と円環状のヨーク部２３を備えたステータコア２１と、スロット部２７内に所定の規則に従って配置したコイル３０と、コイル３０とステータコア２１との絶縁材となる高熱伝導複合材４０からなる
ステータコア２１は、例えば厚さ０.３５mm，０.５mmの薄い電磁鋼板を打ち抜き、所定枚数分を積層したもの
（ウ）「【００１６】フレーム８０には、冷却用の水あるいは油といった冷却液を通す冷却液通路８１を設けてあり、モータ駆動時における
コイル３０の発熱は、絶縁材の高熱伝導複合材４０とステータコア２１を介してフレーム内の冷却液通路８１に伝達する
（エ）「【００１７】この
高熱伝導複合材４０を構成する高熱伝導樹脂４１は、樹脂成分中に異方性構造が存在する熱硬化性樹脂で構成される
（オ）「【００２０】したがって、
絶縁材の熱伝導率が高いのでコイル３０で発生した熱は、フレーム８０に伝わりやすい
高熱伝導複合材４０は、基材４２としてアラミド紙，ＰＥＴ，ＰＰＳ等を配置し、その基材の両面に高熱伝導樹脂４１を積層した構造としたプリプレグ材とする
【００２１】図３に示したように、前述の
高熱伝導複合材４０をステータコア２１のスロット面に接触するように配置し、成形型にて加圧して加熱硬化することで高熱伝導樹脂４１とステータコア２１が密着するため、打ち抜きのかえりやばりや積層ずれ等で発生する凹凸を高熱伝導樹脂４１で埋める
（カ）「【００２２】図１のステータコア２１はティース部２２とヨーク部２３が分割した構造である。この場合は、
ティース部２２とヨーク部２３はそれぞれ打ち抜き積層固定されたもの
高熱伝導樹脂４１を予め加圧しながら加熱硬化させ
空気層を削減する
（キ）記載事項（イ）及び図１−２の図示内容によると、ステータコア２１が円環状のヨーク部２３と複数のティース部２２とスロット部２７とを備え、円環状の前記ヨーク部２３が、回転軸５の軸線を中心とする周方向に延在し、前記複数のティース部２２が、前記ヨーク部２３から前記軸線に向かう方向に延在し、前記スロット部２７が、前記複数のティース部２２のうち前記周方向に隣り合う２つのティース部２２の間に形成されているといえる。
（ク）記載事項（イ）、（オ）及び図１−３の図示内容によると、ステータコア２１は、所定枚数分の打ち抜きされた電磁鋼板を回転軸５の軸線の方向に積層したものであり、前記電磁鋼板の打ち抜きのかえりやばり等で発生する凹凸を有しているといえる。
（ケ）記載事項（ウ）、（オ）によると、絶縁材の高熱伝導複合材４０は、ステータコア２１のスロット面に接触するように配置される。そして、記載事項（ア）によると、引用文献１に記載の発明は、コイルで発生した熱をステータコアに伝わりやすくすることを目的としており、図１の図示内容によると、コイル３０はスロット部２７内のティース部２２及びヨーク部２３の近傍に位置するものであるから、上記目的を達成するために絶縁材の高熱伝導複合材４０は、ステータコア２１における複数のティース部２２のスロット面及びステータコア２１におけるヨーク部２３のスロット面に接触するように配置されているといえる。また、記載事項（ウ）、（オ）、（カ）及び図１−３の図示内容によると、高熱伝導複合材４０は、アラミド紙、ＰＥＴ、ＰＰＳ等からなる基材４２と、当該基材４２の両面に積層された高熱伝導樹脂４１とで構成されており、高熱伝導樹脂４１を加圧して加熱硬化させることで高熱伝導樹脂４１をステータコア２１に密着させて、打ち抜きのかえりやばり等で発生する凹凸を高熱伝導樹脂４１で埋めている。すると、高熱伝導複合材４０の高熱伝導樹脂４１は、ステータコア２１における複数のティース部２２のスロット面及びステータコア２１におけるヨーク部２３のスロット面に接触し、ステータコア２１のスロット面に密着することで打ち抜きのかえりやばり等で発生する凹凸を埋めているといえる。
（コ）記載事項（オ）及び図３の図示内容によると、高熱伝導複合材４０を構成する基材４２は、スロット面に接触する高熱伝導樹脂４１を覆うように配置されている。また、上記（ケ）によると、高熱伝導樹脂４１は複数のティース部２２のスロット面及びヨーク部２３のスロット面に接触するものであるから、高熱伝導樹脂４１を覆う基材４２も複数のティース部２２のスロット側及びヨーク部２３のスロット側に配置されるものである。すると、基材４２は、複数のティース部２２のスロット側及びヨーク部２３のスロット側に配置され、スロット面に接触する高熱伝導樹脂４１を覆っているといえる。
（サ）記載事項（イ）、（ウ）、（オ）、（カ）及び図１−２の図示内容によると、コイル３０は、複数のティース部２２のそれぞれに、高熱伝導複合材４０を構成する基材４２及び高熱伝導樹脂４１を介して巻き付けられているといえる。
（シ）記載事項（イ）、（オ）によると、ステータ２０は、ステータコア２１と、基材４２の両面に高熱伝導樹脂４１を積層した高熱伝導複合材４０と、コイル３０と、からなるものといえる。
イ．引用発明
　上記引用文献１の記載事項（ア）−（シ）及び図面の図示内容を総合すると、引用文献１には、次の発明（以下、「引用発明」という。）が記載されていると認められる。
「回転軸５の軸線を中心とする周方向に延在するヨーク部２３と、前記ヨーク部２３から前記軸線に向かう方向に延在する複数のティース部２２と、前記複数のティース部２２のうち前記周方向に隣り合う２つのティース部２２の間に形成されるスロット部２７とを備えるステータコア２１であって、所定枚数分の打ち抜きされた電磁鋼板が前記軸線の方向に積層され、前記電磁鋼板の打ち抜きのかえりやばり等で発生する凹凸を有するステータコア２１と、
　前記複数のティース部２２のスロット面及び前記ヨーク部２３のスロット面に接触し、前記ステータコア２１のスロット面に密着することで打ち抜きのかえりやばり等で発生する凹凸を埋める高熱伝導樹脂４１と、
　前記複数のティース部２２のスロット側及び前記ヨーク部２３のスロット側に配置され、スロット面に接触する前記高熱伝導樹脂４１を覆う基材４２と、
　前記複数のティース部２２のそれぞれに、前記基材４２及び前記高熱伝導樹脂４１を介して巻き付けられたコイル３０と
　を備えたステータ２０。」
（３）対比
　以下、本件補正発明と引用発明とを対比する。
ア．引用発明の「回転軸５の軸線」及び「ヨーク部２３」は、それぞれ本件補正発明の「軸線」及び「ヨーク部」に相当する。すると、引用発明の「回転軸５の軸線を中心とする周方向に延在するヨーク部２３」は、本件補正発明の「軸線を中心とする周方向に延在するヨーク部」に相当する。
イ．引用発明の「複数のティース部２２」は、本件補正発明の「複数のティース」に相当する。すると、引用発明の「前記ヨーク部２３から前記軸線に向かう方向に延在する複数のティース部２２」は、本件補正発明の「前記ヨーク部から前記軸線に向かう方向または前記軸線から離間する方向に延在する複数のティース」に相当する。
ウ．引用発明の「スロット部２７」は、本件補正発明の「スロット」に相当する。すると、引用発明の「前記複数のティース部２２のうち前記周方向に隣り合う２つのティース部２２の間に形成されるスロット部２７」は、本件補正発明の「前記複数のティースのうち前記周方向に隣り合う２つのティースの間に形成されたスロット」に相当する。
エ．引用発明の「所定枚数分」、「打ち抜きされた電磁鋼板」及び「ステータコア２１」は、それぞれ本件補正発明の「複数」、「積層要素」及び「固定子鉄心」に相当する。すると、引用発明の「所定枚数分の打ち抜きされた電磁鋼板が前記軸線の方向に積層され」る「ステータコア２１」は、本件補正発明の「複数の積層要素が前記軸線の方向に積層され」る「固定子鉄心」に相当する。
オ．引用発明の「前記複数のティース部２２のスロット面」、「前記ヨーク部２３のスロット面」及び「高熱伝導樹脂４１」は、それぞれ本件補正発明の「前記複数のティースの前記スロット側の面」、「前記ヨーク部の前記スロット側の面」及び「第２の絶縁部」に相当する。また、引用発明の「高熱伝導樹脂４１」は樹脂材料であるから、スロット面に接触することによってスロット面を覆っているといえる。すると、引用発明の「前記複数のティース部２２のスロット面及び前記ヨーク部２３のスロット面に接触」する「高熱伝導樹脂４１」は、本件補正発明の「前記複数のティースの前記スロット側の面および前記ヨーク部の前記スロット側の面を覆」う「第２の絶縁部」に相当する。
カ．引用発明の「基材４２」は、本件補正発明の「第１の絶縁部」に相当する。すると、引用発明の「前記複数のティース部２２のスロット側及び前記ヨーク部２３のスロット側に配置され、スロット面に接触する前記高熱伝導樹脂４１を覆う基材４２」は、本件補正発明の「前記複数のティースの前記スロット側および前記ヨーク部の前記スロット側に設けられ、前記第２の絶縁部を覆う第１の絶縁部」に相当する。
キ．引用発明の「コイル３０」は、本件補正発明の「巻線」に相当する。すると、引用発明の「前記複数のティース部２２のそれぞれに、前記基材４２及び前記高熱伝導樹脂４１を介して巻き付けられたコイル３０」は、本件補正発明の「前記複数のティースのそれぞれに、前記第１の絶縁部および前記第２の絶縁部を介して巻き付けられた巻線」に相当する。
ク．引用発明の「ステータ２０」は、本件補正発明の「固定子」に相当する。
ケ．したがって、本件補正発明と引用発明とは、
「軸線を中心とする周方向に延在するヨーク部と、前記ヨーク部から前記軸線に向かう方向または前記軸線から離間する方向に延在する複数のティースと、前記複数のティースのうち前記周方向に隣り合う２つのティースの間に形成されたスロットとを有する固定子鉄心であって、複数の積層要素が前記軸線の方向に積層される固定子鉄心と、
　前記複数のティースの前記スロット側の面および前記ヨーク部の前記スロット側の面を覆う第２の絶縁部と、
　前記複数のティースの前記スロット側および前記ヨーク部の前記スロット側に設けられ、前記第２の絶縁部を覆う第１の絶縁部と、
　前記複数のティースのそれぞれに、前記第１の絶縁部および前記第２の絶縁部を介して巻き付けられた巻線と
　を備えた固定子。」
　である点で一致し、以下の点で相違する。
［相違点］
　固定子鉄心及び第２の絶縁部について、本件補正発明では、固定子鉄心が「前記複数の積層要素のうち前記軸線の方向に隣り合う２つの積層要素の間に隙間を有する」ものであり、第２の絶縁部が「前記隙間の前記スロット側を塞ぎ、且つ前記隙間に入り込む」のに対し、引用発明では、ステータコア２１が所定枚数分の電磁鋼板のうち軸線の方向に隣り合う２つの電磁鋼板の間に隙間を有するものなのか不明であり、また、高熱伝導樹脂４１が前記隙間のスロット側を塞ぎ、且つ前記隙間に入り込むものなのか明らかでない点。
（４）判断
ア．相違点について
　以下、上記相違点について検討する。
（ア）本件補正発明の固定子鉄心が「前記複数の積層要素のうち前記軸線の方向に隣り合う２つの積層要素の間に隙間を有する」ものであり、第２の絶縁部が「前記隙間の前記スロット側を塞ぎ、且つ前記隙間に入り込む」との事項について、段落【０１１４】の「固定子鉄心１０のスロット１３側の面に、積層隙間１０２に連通する凹部１０４が形成され、第２の絶縁部３が凹部１０４を塞いでいるため、凹部１０４から積層隙間１０２への潤滑油および冷媒の侵入を抑制することができ、漏洩電流を効果的に抑制することができる。」との記載等を考慮すると、上記事項の「隙間」は「凹部１０４」も含むものと解され、上記事項は、固定子鉄心１０のスロット１３側の面に凹部１０４が形成され、第２の絶縁部３が凹部１０４に入り込むことを含むものと解される。
　一方、引用発明の「電磁鋼板」の打ち抜きによって形成される“かえり”や“ばり”は、電磁鋼板の厚さ方向に形成されて、厚さ方向に直交する方向においてせん断面よりも内側に退避するものであるから、所定枚数分の電磁鋼板を軸線方向に積層したステータコア２１には、そのスロット側の面に凹部が形成されているといえる。
　そして、引用発明の「高熱伝導樹脂４１」は、「前記ステータコア２１のスロット面に密着することで打ち抜きのかえりやばり等で発生する凹凸を埋める」ものであり、引用発明の「高熱伝導樹脂４１」も、ステータコア２１のスロット側の面に形成される凹部に入り込んでいるといえるから、上記相違点は形式的な相違点であって、実質的な相違点であるとはいえない。
（イ）また、本件補正発明の固定子鉄心が「前記複数の積層要素のうち前記軸線の方向に隣り合う２つの積層要素の間に隙間を有する」ものであり、第２の絶縁部が「前記隙間の前記スロット側を塞ぎ、且つ前記隙間に入り込む」との事項について、段落【０１２１】の記載、図１９等を考慮すると、上記事項の「隙間」は「積層隙間１０２」を意味するとも解され、上記事項は、第２の絶縁部３が凹部１０４に連通する積層隙間１０２に入り込むことを意味するとも解される。
　一方、引用発明においても、電磁鋼板の打ち抜きによって生じる“かえり”や“ばり”が電磁鋼板の打ち抜き方向に形成されるから、所定枚数分の電磁鋼板を軸線方向に積層したステータコア２１には、本件補正発明と同様の隙間（積層隙間）が形成されるものといえる。そして、引用発明の「高熱伝導樹脂４１」は、ステータコア２１のスロット面に密着することで打ち抜きのかえりやばり等で発生する凹凸を埋めるものであり、また、「空気層を削減する」ようにステータコア２１のスロット面に加圧されながら埋め込まれるものであるから（上記（２）ア（カ）の段落【００２２】を参照。）、当然、引用発明の「高熱伝導樹脂４１」の一部は、“かえり”や“ばり”等を回り込んで、“かえり”や“ばり”等で発生する凹凸を越えてその内側の隙間（積層隙間）まで入り込んでいるといえる。そうすると、上記相違点は形式的な相違点であって、実質的な相違点であるとはいえない。仮に、上記相違点が実質的な相違点であったとしても、引用発明において、熱伝導率を向上させるために、電磁鋼板の打ち抜きのかえりやばり等で発生する凹凸に空隙が生じないように、熱伝導率の高い「高熱伝導樹脂４１」を加圧し、加熱硬化させることは、当業者が容易に想到し得たものである。その際、「高熱伝導樹脂４１」の一部は、“かえり”や“ばり”等を回り込んで、“かえり”や“ばり”等で発生する凹凸を越えてその内側の隙間（積層隙間）まで入り込むものといえる。
イ．本件補正発明の作用効果について
　本件補正発明の作用効果については、引用発明から当業者が予測できる範囲のものである。
ウ．請求人の主張について
　審判請求人は、「引用文献１には、ステータコア２１のスロット面に接触するように、高熱伝導樹脂４１と基材４２とからなる高熱伝導複合材４０が配置されており、高熱伝導樹脂４１がステータコア２１に密着し、電磁鋼板の打ち抜きのかえり等で発生する凹凸を埋めることが開示されていますが（段落００２１）、高熱伝導樹脂４１が電磁鋼板の隙間に入り込むことは開示されていません。引用文献１の図３では、高熱伝導樹脂４１がステータコア２１のスロット面の凹凸を埋めていることは理解されますが、ステータコア２１の電磁鋼板の隙間にまで入り込んでいることは示されていません。」（審判請求書の「［３］本願発明が特許されるべき理由　［３−３］特許法第２９条第１項第３号および第２項の拒絶理由について　［３−３−２］本願の請求項１に係る発明と引用発明との対比」）と主張している。
　しかし、本件補正発明の「隙間に入り込む」が、第２の絶縁部３が積層隙間１０２に入り込むことを意味するとしても、上記ア．（イ）で検討したように、引用発明の「高熱伝導樹脂４１」は、「ステータコア２１のスロット面に密着することで打ち抜きのかえりやばり等で発生する凹凸を埋める」ものであり、また、ステータコア２１のスロット面に加圧されながら埋め込まれるものであるから、引用発明の「高熱伝導樹脂４１」の一部は、“かえり”や“ばり”等を回り込んで、“かえり”や“ばり”等で発生する凹凸を越えてその内側の隙間（積層隙間）まで入り込んでいるといえる。そうすると、引用発明の「高熱伝導樹脂４１」は、「ステータコア２１の電磁鋼板の隙間にまで入り込んでいることは示されてい」ないという請求人の上記主張を採用することはできない。
　また、審判請求人は、「引用文献１の高熱伝導複合材４０は、アラミド紙等の基材４２の両面に熱硬化性樹脂からなる高熱伝導樹脂４１を積層したプリプレグ材であり（段落００２０）、このプリプレグ材をステータコア２１のスロット面に接触するように配置して加熱硬化することで高熱伝導樹脂４１をステータコア２１に密着させています（段落００２１）。この方法では、高熱伝導樹脂４１がステータコア２１のスロット面の凹凸を埋めることは可能であっても、高熱伝導樹脂４１が電磁鋼板の隙間に入り込む構成は得られないものと考えられます。」（審判請求書の「［３］本願発明が特許されるべき理由　［３−３］特許法第２９条第１項第３号および第２項の拒絶理由について　［３−３−２］本願の請求項１に係る発明と引用発明との対比」）と主張している。
　しかし、引用発明の「高熱伝導複合材４０」がプリプレグ材であったとしても、高熱伝導複合材４０をステータコア２１のスロット面に接触するように配置し、高熱伝導複合材４０を予め
加圧しながら
エ．まとめ
　以上のとおり、本件補正発明は、引用発明との間に実質的な相違点がなく、引用文献１に記載された発明であるから特許法第２９条第１項第３号に該当し、又は本件補正発明は、引用発明に基いて当業者が容易に発明をすることができたものであるから特許法第２９条第２項の規定により、特許出願の際独立して特許を受けることができないものである。
　
３．本件補正についてのむすび
　よって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
　
第３　本願発明について
１．本願発明
　令和２年１０月２８日にされた手続補正は、上記のとおり却下されたので、この出願の各請求項に係る発明は、令和２年７月９日にされた手続補正により補正された特許請求の範囲の請求項１ないし１７に記載された事項により特定されるものであるところ、その請求項１に係る発明（以下、「本願発明」という。）は、明細書及び図面の記載からみてその請求項１に記載された事項により特定される、上記「第２［理由］１．（２）」に記載のとおりのものである。
２．原査定の拒絶の理由
　原査定の拒絶の理由は、この出願の請求項１、１５に係る発明は、この出願の出願前に頒布された又は電気通信回線を通じて公衆に利用可能となった下記の引用文献１に記載された発明であるから、特許法第２９条第１項第３号に該当し、特許を受けることができない、また、この出願の請求項１、１５に係る発明は、この出願の出願前に頒布された又は電気通信回線を通じて公衆に利用可能となった下記の引用文献１に記載された発明に基いて、その出願の出願前に当業者が容易に発明をすることができたものであるから、特許法第２９条第２項の規定により特許を受けることができない、というものである。
引用文献１：特開２００３−２８４２７７号公報
３．引用文献の記載及び引用発明
　原査定の拒絶の理由で引用された引用文献１の記載事項は、上記「第２［理由］２．（２）」に記載したとおりである。
４．対比・判断
　本願発明は、上記「第２［理由］２．」で検討した本件補正発明から、第２絶縁部の「且つ前記隙間に入り込む」という限定を削除したものであり、その余の発明特定事項は本件補正発明と同じである。
　そうすると、本願発明の発明特定事項を全て含み、さらに限定したものに相当する本件補正発明が、上記「第２［理由］２．（３）、（４）」に記載したとおり、引用文献１に記載された発明であり、又は引用発明に基いて当業者が容易に発明をすることができたものであるから、本願発明も、引用文献１に記載された発明であり、又は引用発明に基いて当業者が容易に発明をすることができたものである。
第４　むすび
　以上のとおり、本願発明は、特許法第２９条第１項第３号に該当し、又は特許法第２９条第２項の規定により特許を受けることができないから、他の請求項に係る発明について検討するまでもなく、本願は拒絶されるべきものである。
　よって、結論のとおり審決する。